(57)【要約】【課題】効率的に購入希望者に比較的狭い場所で多数の美術品を十分に評価してもらった上で、また美術品の実物を鑑賞してもらった上で美術品を販売する方法を提供する。【解決手段】予め美術品の写真と美術品の特徴を関連付けたデータベースおよびデータベースより検索して所望の美術品をリストアップするプログラムを準備し、該データベースを検索して購入希望者が求める美術品のリストおよび関連付けた美術品の写真を出力し、出力データから購入希望者が選んだ美術品の実物を、少なくとも一面が透明なプラスチック製のシート状の容器に入れた状態で在庫を保管してあるストックポイントより搬出し展示して購入希望者に実物を示して美術品を販売する。【特許請求の範囲】
【請求項１】
美術品の実物を購入希望者が確認しながら美術品を販売する方法において、予め美術品の写真と美術品の特徴を関連付けたデータベースおよびデータベースより検索して所望の美術品をリストアップするプログラムを準備し、該データベースを検索して購入希望者が求める美術品のリストおよび関連付けた美術品の写真を出力し、出力データから購入希望者が選んだ美術品の実物をストックポイントより搬出し展示して購入希望者に実物を示すことを特徴とする美術品の販売方法。
【請求項２】
美術品の実物を、少なくとも一面が透明なプラスチック製のシート状の容器に入れた状態でストックポイントに保管する請求項１に記載の美術品の販売方法。
【発明の詳細な説明】
【０００１】
【発明の属する技術分野】
本発明は、美術品の販売方法に関する。詳しくは所望の美術品を損なうことなく、しかも購入希望者が美術品の実物を鑑賞した上で購入することができる美術品の販売方法に関する。
【０００２】
【従来の技術】
美術品の評価は、個人の感性によって定まるものである。従って、購入希望者としては実物を見た上で購入するかどうかを決めたいと考えている。実物を展示して、一般の不特定の多数に供給される美術品としては、版画とか水彩画あるいは比較的小物の油絵、焼物などがあるが、販売する予定のすべての美術品を鑑賞し易い状態で陳列することは、購入希望者の多い都会では事実上不可能である。
【０００３】
比較的高価な美術品を扱う場合には、パンフレットを特定の顧客に送った上で、販売のための会を開いたり、個展を通して販売することが行われている。これらはどちらにしても少数の高価な美術品を特定の顧客を相手に販売しているに過ぎない。また、多くの美術品のデータを収集し一般の不特定多数の人に、インターネット上で写真などで紹介し販売することが行われているが実物を見て本当に気に入ったものを購入するということにはならない。この場合の改善として、絵画を飾る予定の部屋に所望の絵画を飾った場合の具体的イメージをインターネット等を利用して画像として提供して確認させる美術商品の選択システムが提案されている（特許文献１参照）。
【０００４】
【特許文献１】
特開２００２−１２３７１８号公報
【０００５】
【発明が解決しようとする課題】
特許文献１に記載のシステムは、あくまでもコンピュータ画面での画像を確認するものであり実物を見て選択する訳ではない。特に絵画においては色合いの相違の影響は大きく、購入者がイメージしていた商品と配送されて来た実物の食い違いを完全に回避することは困難である。
【０００６】
実物を展示して、一般の不特定の多数に美術品を販売する場合は、販売のためのスペースでは実際に購入して飾られる状態で陳列できる数には限りがある。また狭い場所に多くの美術品を陳列すると破損の恐れがある。ゆったりと陳列すると広い場所を確保する費用が増加する。また、広い場所で美術品を鑑賞するためには時間と体力が必要である。通常は一部の作品を適当に選択して密度高く陳列することが行われ、大部分の在庫は狭いスペースに押し込んだ状態にしてあり購入希望者に十分に評価してもらうことすらできない。さらに重ねて保存してあるため実際に飾った形で見ることができない。
【０００７】
これらに対し、効率的に購入希望者に比較的狭い場所で多数の美術品を十分に評価してもらった上で、また実際に購入後部屋で飾ったような状態で美術品の実物を鑑賞してもらった上で販売することができると極めて好ましい。
【０００８】
【課題を解決するための手段】
本発明者らは上記課題を解決するため鋭意検討した結果、特定の方法で美術品を販売することにより、上記課題を解決できることを見出し本発明を完成した。
【０００９】
即ち、本発明は、美術品の実物を購入希望者が確認しながら美術品を販売する方法において、予め美術品の写真と美術品の特徴を関連付けたデータベースおよびデータベースより検索して所望の美術品をリストアップするプログラムを準備し、該データベースを検索して購入希望者が求める美術品のリストおよび関連付けた美術品の写真を出力し、出力データから購入希望者が選んだ美術品の実物をストックポイントより搬出し展示して購入希望者に実物を示すことを特徴とする美術品の販売方法である。
【００１０】
【発明の実施の形態】
本発明においては、まず美術品の写真を取得することが必要である。写真としては通常の写真、特にデジタルカメラで撮影したものが利用できるが、フォログラムで撮影したものであっても良い。
【００１１】
本発明においては、更にそれぞれの美術品について、その特徴を評価し決定することが必要である。特徴としては、絵画、彫刻等の分類、洋画、日本画等の分類、水彩画、油絵、版画等の分類、風景、静物、動物、人物等の分類等、場合によっては階層的に分類を展開したもの、例えば風景の下位分類として、山、海、街、建物等の分類等、がまず挙げられる。更に、大きさ、色相、価格などの情報に加え言葉で一般的に表現した評価あるいは評論家の評価なども特徴として挙げることができる。
【００１２】
本発明においては、上記、写真と特徴は関連付けた形でデータとして保管してデータベースを作成する。この時、例えば各美術品に予め通し番号を振っておき、この番号で管理できるようにしておくこともできる。また、必要に応じて作品名、作者名等のデータを追加しても良い。
【００１３】
そして上記データベースを特徴で検索することでその特徴を満足する美術品をリストアップするプログラムを準備する。即ち、その特徴を満足する美術品の写真等のデータが表示されるようにプログラムされたソフトを準備する。
【００１４】
これによって、上記データベースを特徴で検索して購入希望者が求める美術品のリストとその写真を出力する。これにより、購入希望者は自分で好ましいと考える美術品を写真の形で見ることができる。当然のことながら、まず１つの画面で多くの写真を見て、より好ましい美術品を選択し選択されたもののみをより大きい画面で確認するなどの工夫は可能である。
【００１５】
本発明においては、次いで、出力データから購入希望者が選択した美術品のデータから実物をストックポイントより搬出し、購入希望者のところに搬入する。本発明においてストックポイントとは、美術品の在庫の保管場所のことであり、美術品が絵画のように比較的ストックするのにスペースが必要ない場合には計算機による検索、抽出ができる場所のすぐ側に設けてストックすることもできる。
【００１６】
搬入された美術品は、必要に応じ好みの額等に入れて壁に飾った状態にする等して、実際に展示して購入希望者に実物を示す。この場合、展示場所について、例えば壁の色合い等を大画面のテレビ画面を利用する等して、購入希望者がある程度選択できるようにしておくと、購入後部屋に飾った時の状態により近いイメージを提供することができ好ましい。
【００１７】
本発明において重要なのはあくまで実物を見て選択することである。従って、在庫を多数保管しておき、選択されたもののみ好みの額等にセットして展示することにより、多数の在庫から購入する美術品を、実際に美術品を飾った状態で実物を確認した上で選択することができることである。
【００１８】
在庫を保管する方法としては、水彩画などの薄いものでは、少なくとも一面が透明なプラスチック製のシート状の容器、例えば、ポリプロピレン、ポリメタクリル酸メチル、ポリカーボネート、ポリテレフタル酸エチル等で作成したシート等に入れた状態で保管すれば、多数の在庫を保管することができる。この時、シートの透明な面が絵画の表面側に来るようにしておく。油絵の場合も同様に透明な容器に入れて保管しておけば、多くの絵画を破損することなく多量に保管することができる。
【００１９】
透明なシートとしては、絵画の表面を保護するため少なくとも絵画の裏面が接触する面が開閉可能でありしかも、絵画の表面側となる面がやや凸状となり絵画の表面と接触しないような構造としておく事が望まれる。なお、絵画は必ずしも定型の大きさとは限らないので、裏面が接触する部分に、剥した時糊残りのしない公知の粘着剤を塗布するとか、油絵等の枠があるものを入れるシートの場合には枠を固定できる治具（上述のものと同様の粘着剤、枠をはさみ込むクリップ状のもの等）を取り付けたものを用いると好ましい。
【００２０】
本発明の実施においては、所望の美術品を検索、抽出するためのシステムが必要であるが、ハードとしては市販のパソコンで充分であり、また、データベースから好みの美術品を選ぶ過程についても何ら制限はなく通常の市販のソストが利用できる。種々のデータから特定のものを選択するにはＭｉｃｒｏｓｏｆｔ　Ｅｘｃｅｌなどの汎用ソフトでデータを蓄積し検索することもできる。選択された番号によりイメージ情報から特定の美術品の写真を引き出すこともなんら問題なく可能であり多数の写真を一気に示すことも汎用の市販のソフトで充分に可能である。
【００２１】
【実施例】
実施例１
１００点の水彩画について、通し番号を振り、その特徴を▲１▼大きさ（号数：０号、１号、２号、３号、４号、５号、６号、８号、１０号、１０号より大きい。型：Ｆ、Ｐ、Ｍ）、▲２▼画題（風景山、風景海、風景街、風景建物、風景その他、静物、動物、人物、その他）、▲３▼色相（明るく暖かい、明るく冷たい、暗くて暖かい、暗くて冷たい、その他）の▲３▼点について評価した。それぞれの絵画は、デジタルカメラで撮影した後、ポリプロピレン製のシートに絵より一回り大きい（縦横が５〜１０ｃｍ大きい）中性紙の真中に置いた状態で挟んで固定し、検索を行うパソコンの側に設けたストックポイントに保管した。一方、パソコンを用いて各絵画の通し番号と特徴（評価結果）をＭｉｃｒｏｓｏｆｔ　Ｅｘｃｅｌの表にまとめ、各絵画のデジタルカメラで撮影した写真を取り込んで、関連付けた。
【００２２】
大きさ：Ｆ４号、画題：風景海、色相：明るく冷たいの３条件を満足するものを検索したところ、該当するものが３点あり、通し番号は５、１１、１３であった。これら３点の写真を画面に表示させて確認したところ、３点とも実物を鑑賞することとしたため、３つの絵をストックポイントから搬出した。３つの絵は透明なシートに挟まれているので５０×４０ｃｍの額に簡単にセットできた。これらを壁に飾り、鑑賞することで気に入った１１番の絵を選ぶことができた。
【００２３】
【発明の効果】
本発明の方法を実施することにより、効率的に、購入希望者に比較的狭い場所で多数の美術品を十分に評価した上で、また実物を鑑賞した上で、希望に合うものを選択して貰うことが可能となり極めて好ましい。